(57)【要約】【課題】移動手段を利用するユーザに対して移動手段提供施設周辺の施設の広告情報を提供すること。【解決手段】通信部１９は、ユーザが有する携帯端末２０又は改札システム３０からユーザの移動手段の利用開始希望情報を受信し、携帯端末２０から位置情報を受信する。ＣＰＵ１１は、利用開始希望情報と位置情報に基づいてユーザの移動ルートを判別し、判別した移動ルートの先にあるエリアを抽出し、抽出した上記エリア内にある施設の広告情報を携帯端末２０に送信するように通信部１９を制御する。【選択図】図１
2020119072.tif 000002
【特許請求の範囲】
【請求項１】
ユーザが有する携帯端末又は移動手段提供施設から前記ユーザの当該移動手段の利用開始希望情報を受信し、前記携帯端末から位置情報を受信する通信部と、
前記利用開始希望情報と前記位置情報に基づいて前記ユーザの移動ルートを判別し、判別した前記移動ルートの先にある移動手段提供施設の近傍のエリアを抽出し、前記抽出した前記エリア内の施設の広告情報を前記携帯端末に送信するように前記通信部を制御する制御部と、
を具備する
情報処理装置。
【請求項２】
前記制御部は、前記ユーザに紐付いている移動手段用のチケットに関する情報又は前記移動手段提供施設の利用頻度に関する情報のいずれかに基づいて前記エリアを抽出する
請求項１に記載の情報処理装置。
【請求項３】
前記制御部は、前記位置情報に基づいて、前記ユーザが前記エリアの前に通過すると推定される移動ルートにおける地点を通過したタイミングを判断し、当該タイミングで前記広告情報を送信するように前記通信部を制御する
請求項１又は２に記載の情報処理装置。
【請求項４】
前記通信部は、前記施設で提供されるサービスの提供日時の情報を受信し、前記制御部は、現在時刻と前記位置情報に基づいて、前記サービスの提供の開始時間までに前記ユーザが当該施設に到着可能なタイミングを判断し、前記タイミングまでに当該施設の前記サービスの前記広告情報を前記携帯端末に送信するように前記通信部を制御する
請求項１から３のいずれかに記載の情報処理装置。
【請求項５】
前記制御部は、前記位置情報が、判別した前記移動ルートの先にある分岐点を過ぎた位置に到達した後に前記分岐点の先にあるエリアの中から前記エリアを抽出する
請求項１から４のいずれかに記載の情報処理装置。
【請求項６】
前記制御部は、前記判別した前記移動ルート上の前記移動手段提供施設の中から前記分岐点を抽出する
請求項５に記載の情報処理装置。
【請求項７】
前記移動手段は列車であり、
前記制御部は、前記移動ルートと前記位置情報の変化に基づいて、前記列車の列車種別を判別し、当該判別した列車種別に応じた停車駅の近傍の候補エリアを抽出する
請求項１から６のいずれかに記載の情報処理装置。
【請求項８】
前記制御部は、前記位置情報を基に、前記携帯端末が、抽出した前記エリアでないエリアにおいて所定の時間滞在したことを検出すると、前記エリアの前記広告情報の送信を中止する
請求項１から７のいずれかに記載の情報処理装置。
【請求項９】
前記通信部は、前記施設のＰＯＳ（Point of Sales）情報を受信し、
前記制御部は、受信した前記ＰＯＳ情報に基づいて、１人での来訪が多い施設を抽出し、抽出した施設の広告情報を生成する
請求項１から８のいずれかに記載の情報処理装置。
【請求項１０】
ユーザが有する携帯端末又は移動手段提供施設から前記ユーザの当該移動手段の利用開始希望情報を受信し、前記携帯端末から位置情報を受信し、
前記利用開始希望情報と前記位置情報に基づいて前記ユーザの移動ルートを判別し、判別した前記移動ルートの先にあるエリアを抽出し、前記抽出した前記エリア内の施設の広告情報を前記携帯端末に送信する
情報処理方法。
【請求項１１】
コンピュータに、
ユーザが有する携帯端末又は移動手段提供施設から前記ユーザの当該移動手段の利用開始希望情報を受信し、前記携帯端末から位置情報を受信する通信ステップと、
前記利用開始希望情報と前記位置情報に基づいて前記ユーザの移動ルートを判別し、判別した前記移動ルートの先にあるエリアを抽出し、前記抽出した前記エリア内の施設の広告情報を前記携帯端末に送信するように制御する制御ステップ
を実行させるための
プログラム。
【発明の詳細な説明】
【技術分野】
【０００１】
本発明は、飲食店を含む施設に関する情報を処理する情報処理装置、情報処理方法及びプログラムに関する。
【背景技術】
【０００２】
従来から、飲食店等の施設の混雑情報に関する情報をユーザに提供する技術が存在する。例えば、特許文献１には、店舗端末にプレゼンス発行ボタンを接続させ、店員等がボタン操作することにより店舗のプレゼンス情報（混雑状況等）を店舗情報検索サービスシステムの検索サーバにアップロードすることが記載されている。上記システムにおいて、検索サーバはユーザ端末から検索要求を取得するとプレゼンス情報等を含む店舗検索結果をユーザ端末に返す。
【先行技術文献】
【特許文献】
【０００３】
【特許文献１】特開２０１２−９８８８７号公報
【発明の概要】
【発明が解決しようとする課題】
【０００４】
電車や地下鉄、バス等の運行路線を有する移動手段の駅や停留所（以下、「移動手段提供施設」と呼ぶ。）においては、多くの人が移動手段に乗り降りする。そのため、その近くには飲食店やフィットネスクラブを含む施設が多く集まり、当該移動手段提供施設を中心に商圏（以下、基本的に「エリア」と呼ぶ。）を形成している。したがって移動手段提供施設周辺の施設情報は、移動手段を利用するユーザにニーズがある。
【０００５】
上記特許文献１には、店舗から個人ユーザに広告情報が提供されるシステムが開示されているが、広告情報の提供のタイミングはユーザが検索をしたときであり、ユーザが自分から検索しなければ広告情報が提供されないという問題があった。
【０００６】
本発明は上述の実情に鑑みてなされたものであって、移動手段を利用するユーザに対して移動手段提供施設周辺の施設の広告情報を提供することを目的とする。
【課題を解決するための手段】
【０００７】
上記目的を達成する本発明の一実施形態は、通信部と制御部を具備する情報処理装置である。
上記通信部は、ユーザが有する携帯端末又は移動手段提供施設から上記ユーザの当該移動手段の利用開始希望情報を受信し、上記携帯端末から位置情報を受信する。
上記制御部は、上記利用開始希望情報と上記位置情報に基づいて上記ユーザの移動ルートを判別し、判別した上記移動ルートの先にあるエリアを抽出し、上記抽出した上記エリア内にある施設の広告情報を上記携帯端末に送信するように上記通信部を制御する。
【０００８】
上記情報処理装置は、移動手段を利用するユーザの移動ルートを、携帯端末の位置情報と利用開始希望情報に基づいて判別し、その移動ルートの先にあるエリア内にある施設の広告情報を当該ユーザに送信することとしたので、移動手段を利用するユーザに対して移動手段提供施設周辺の施設の広告情報を提供することができる。
【０００９】
上記制御部は、上記ユーザに紐付いている移動手段用のチケットまたは上記移動手段提供施設の利用頻度のいずれかに基づいて上記エリアを抽出してもよい。
【００１０】
上記情報処理装置は、制御部が移動手段用のチケットまたは移動手段提供施設の利用頻度のいずれかに基づいてエリアを抽出するので、広告の精度をより高めることができる。
【００１１】
上記制御部は、上記位置情報に基づいて、上記ユーザが上記エリアの前に通過すると推定される移動ルートにおける地点を通過したタイミングを判断し、当該タイミングで上記広告情報を送信するように上記通信部を制御してもよい。
【００１２】
上記情報処理装置は、制御部が移動手段の利用を終了する移動手段提供施設（退場駅）の候補の前に存在する地点を通過したタイミングで広告情報を送信するように通信部を制御するので、ユーザが移動手段提供施設の利用を終了する移動手段提供施設を通過する前、かつ、移動手段を利用中の比較的暇な時間という適切なタイミングで広告情報を送信することができる。
【００１３】
上記通信部は、上記施設で提供されるサービスの提供日時の情報を受信し、上記制御部は、現在時刻と上記位置情報に基づいて、上記サービスの提供の開始時間までに上記ユーザが当該施設に到着可能なタイミングを判断し、上記タイミングまでに当該施設の上記サービスの上記広告情報を上記携帯端末に送信するように上記通信部を制御してもよい。
【００１４】
上記情報処理装置は、施設におけるサービス提供前にユーザが施設に到着できるようなタイミング以前に当該サービスの広告を送信するので、適切なタイミングで広告を送信することができる。
【００１５】
上記制御部は、上記位置情報が、判別した上記移動ルートの先にある分岐点を過ぎた位置に到達した後に上記分岐点の先にあるエリアの中から上記エリアを抽出してもよい。
【００１６】
上記情報処理装置は、移動ルートの先にある分岐点を過ぎたタイミングで、当該分岐点の先にある移動手段提供施設のエリア内の施設の広告情報を送信するので、適切な広告を適切なタイミングで送信することができる。
【００１７】
上記制御部は、上記判別した上記移動ルート上の上記移動手段提供施設の中から上記分岐点を抽出してもよい。
【００１８】
上記情報処理装置は、分岐点を移動ルート上の移動手段提供施設の中から抽出するので、移動手段提供施設と離れた位置に存在する分岐点も含めて分岐点を抽出する場合に比べて抽出処理を簡略化することができる。
【００１９】
上記移動手段は列車であってもよく、上記制御部は、上記移動ルートと上記位置情報の変化に基づいて、上記列車の列車種別を判別し、当該判別した列車種別に応じた停車駅の近傍のエリアを抽出してもよい。
【００２０】
上記情報処理装置は、例えば各駅停車、非各駅停車（急行など、途中駅をスキップするもの）などの列車種別を判別し、判別した列車種別に応じた停車駅の近傍適切なエリアを抽出し、適切な広告情報を送信することができる。
【００２１】
上記制御部は、上記位置情報を基に、上記携帯端末が、抽出した上記エリアでないエリアにおいて所定の時間滞在したことを検出すると、上記エリアの上記広告情報の送信を中止してもよい。
【００２２】
上記情報処理装置は、移動手段の利用を終了する移動手段提供施設（退場駅）の候補として抽出した移動手段提供施設でない場所において所定の時間が経過した場合、広告の送信を中止するので、広告を過剰に送信しないようにすることができる。
【００２３】
上記通信部は、施設のＰＯＳ（Point of Sales）情報を受信し、上記制御部は、受信した上記ＰＯＳ情報に基づいて、１人での来訪が多い施設を抽出し、抽出した施設の広告情報を生成してもよい。
【００２４】
上記情報処理装置は、１人での来店が多い店舗の広告をユーザに送信するので、そのような来店形態を歓迎する店舗の存在をユーザに認知させることができる。
【発明の効果】
【００２５】
本発明によれば、移動手段を利用するユーザに対して移動手段提供施設周辺の施設の広告情報を提供することができる。
【図面の簡単な説明】
【００２６】
【図１】本発明の実施形態に係る広告情報配信システム１を示す図である。
【図２】上記実施形態に係るサーバ１０のハードウェア構成を示すブロック図である。
【図３】上記実施形態に係る携帯端末２０のハードウェア構成を示すブロック図である。
【図４】上記実施形態における情報処理の手順を示すチャート図である。
【図５】上記実施形態における情報処理の手順を示すチャート図である。
【図６】上記実施形態における情報処理の手順を示すチャート図である。
【図７】上記実施形態におけるサービス情報の構成を示す図である。
【図８】上記実施形態における利用開始希望情報の構成を示す図である。
【図９】上記実施形態における路線情報の構成を示す図である。
【図１０】上記実施形態におけるエリア情報の構成を示す図である。
【発明を実施するための形態】
【００２７】
以下、本発明に係る実施形態を、図面を参照しながら説明する。
【００２８】
〔広告情報配信システムの概要〕
図１は、本実施形態に係る広告情報配信システム１を示す図である。図２は、本実施形態に係るサーバ１０のハードウェア構成を示すブロック図である。図３は、本実施形態に係る携帯端末２０のハードウェア構成を示すブロック図である。
【００２９】
図１に示すように、広告情報配信システム１は、サーバ１０と、ユーザが有する携帯端末２０と、改札システム３０と、施設情報サーバ４０を含む。サーバ１０は、携帯端末２０、改札システム３０、施設情報サーバ４０と、通信回線等を経由して相互に情報通信可能に接続する。
【００３０】
〔サーバ及び携帯端末のハードウェア構成〕
図２に示すように、サーバ１０は、ＣＰＵ（Central Processing Unit）１１、ＲＯＭ（Read Only Memory）１２、ＲＡＭ（Random Access Memory）１３、入出力インタフェース１５、及び、これらを互いに接続するバス１４を備える。
【００３１】
ＣＰＵ１１は、必要に応じてＲＡＭ１３等に適宜アクセスし、各種演算処理を行いながら各ブロック全体を統括的に制御する。ＲＯＭ１２は、ＣＰＵ１１に実行させるＯＳ（Operating System）、プログラムや各種パラメータなどのファームウェアが固定的に記憶されている不揮発性のメモリである。ＲＡＭ１３は、ＣＰＵ１１の作業用領域等として用いられ、ＯＳ、実行中の各種アプリケーション、処理中の各種データを一時的に保持する。
【００３２】
入出力インタフェース１５には、表示部１６、操作受付部１７、記憶部１８、通信部１９等が接続される。表示部１６は、例えばＬＣＤ（Liquid Crystal Display）、ＯＥＬＤ（Organic Electro-Luminescence Display）、ＣＲＴ（Cathode Ray Tube）等を用いた表示デバイスである。操作受付部１７は、例えばマウス等のポインティングデバイス、キーボード、その他の入力装置である。なお、表示部１６と操作受付部１７を液晶タッチパネルにより一つにまとめてもよい。
【００３３】
記憶部１８は、例えばＨＤＤ（Hard Disk Drive）や、フラッシュメモリ（ＳＳＤ；Solid State Drive）、その他の固体メモリ等の不揮発性メモリである。当該記憶部１８には、上記ＯＳや各種アプリケーション、各種データが記憶される。
【００３４】
通信部１９は、例えばＮＩＣ（Network Interface Card）や無線ＬＡＮ等の無線通信用の各種モジュールである。通信部１９によりサーバ１０は携帯端末２０、改札システム３０、施設情報サーバ４０とデータを送受信できる。
【００３５】
なお、ＣＰＵ１１はＲＯＭ１２に記憶されているソフトウェアプログラムをロードすることにより本発明の制御部等を構成する。記憶部１８は本発明の記憶部として機能する。通信部１９は本発明の通信部として機能する。記憶部１８はサービス情報、利用開始希望情報、路線情報、エリア情報を記憶する。
【００３６】
図３に示すように、携帯端末２０は、サーバ１０と同様の構成を採用することができるが、本実施形態ではＮＦＣタグ１９ａとＧＰＳ１９ｂをさらに有する。
【００３７】
ＮＦＣタグ１９ａは、近距離無線通信技術（NFC: Near Field Communication）に対応した非接触ＩＣタグ用である。ＮＦＣタグ１９ａは、改札システム３０と近距離無線通信により移動手段提供施設の利用記録を取得し、内部に当該利用記録を読み出し可能に書き込む。ＮＦＣタグ１９ｂにはさらに、ユーザが移動手段を利用するためのチケットの情報も書き込まれる。当該チケットは定期券でもよく、１回限り使用される乗車券でもよい。当該チケットは通用区間（利用を開始する駅から利用を終了する駅まで）の情報を有する。
【００３８】
以下では、移動手段提供施設を電車の駅、その利用記録を入場記録（入場した駅と入場日時を含む）とする。ただし、これは移動手段提供施設を限定するものではなく、移動手段提供施設はバスの停留所などでもよい。
【００３９】
ＧＰＳ１９ｂは、位置情報を取得するための手段の一例であり、全地球測位システム（Global Positioning System）により、携帯端末２０の位置情報を緯度と経度情報として取得する。
【００４０】
図１の改札システム３０は、鉄道駅に設置される改札装置及びその運用システムである。改札装置は近距離無線通信技術により携帯端末２０に駅の利用記録を送信する。改札システム３０は、携帯端末２０のＮＦＣタグ１９ｂに、書き込んだ当該利用記録の情報を含む、ユーザが鉄道を利用するためのチケットの情報を書き込む。
【００４１】
施設情報サーバ４０は、広告情報配信システム１が取り扱う飲食店等の施設の情報を有しており、当該情報は定期的あるいは不定期にアップデートされる。施設情報サーバ４０は、定期的あるいは不定期に、あるいはオンデマンドで、当該情報をサーバ１０に配信する。
【００４２】
〔サーバの情報処理〕
以下、サーバ１０の情報処理について説明する。
【００４３】
まず、広告情報の生成処理について図４を参照して説明する。次に、広告情報の配信処理について図５と図６を参照して説明する。
【００４４】
広告情報は、配信される直前に（ほぼリアルタイムに）生成されてもよいが、本実施形態では、サーバ１０が広告情報の配信処理の開始に先立って広告情報の生成処理を実行することによりあらかじめ生成される。広告情報は、飲食店等の施設のメニュー情報等の紹介情報や割引クーポン等の特典情報等を含む。
【００４５】
（ＳＴ１０１）
広告情報の生成処理（図４）において、通信部１９はまず、施設情報サーバ４０からＰＯＳ（Point of Sales）情報を受信する。ＰＯＳ情報には、施設における客（のグループ）へのサービスの提供ごとに、当該施設を利用した人数を示す情報（例えば飲食店におけるテーブル利用人数等）が含まれる。
【００４６】
（ＳＴ１０２）
ＣＰＵ１１は、受信したＰＯＳ情報に基づいて１人での利用が多い施設を抽出する。より詳細には、ＣＰＵ１１は、所定期間における施設の全利用グループの数に対する１人での利用者の割合が、所定の割合より大きい場合に、当該施設を１人での利用が多い施設と判断する。１人での利用が多い施設の判断の方法は、これに限定されず、その他の方法でもよい。
【００４７】
（ＳＴ１０３）
次に、ＣＰＵ１１は、施設情報サーバ４０から各施設におけるサービスの提供日時の情報を含む情報（サービス情報）を受信する。図７はサービス情報の構成を示す図である。図７に示すように、サービス情報は、サービスごとにサービス情報ＩＤ、サービスを提供する施設を特定するための情報（施設名）、最寄り駅から施設までの所要時間、サービスの提供日時の情報、サービスの内容（特典情報を含む）を示す情報を含む。各施設にて提供されるサービスは、通年で提供されるサービスでもよく、時間や期間限定のサービスでもよい。サービスの提供日時の情報には、提供が受けられる最終時刻、例えば営業終了時刻やラストオーダーの時刻、申し込み締め切り時刻などが含まれる。
【００４８】
（ＳＴ１０４）
ＣＰＵ１１は、施設情報サーバ４０から受信したサービス情報に基づいて広告情報を生成し、記憶部１８に記憶させる。広告情報は、図７に示したサービス内容や提供日時、施設名、施設の所在地、案内図等を含む。ＣＰＵ１１は、広告情報を、携帯端末２０にインストールされた広告情報閲覧用のアプリケーションで閲覧するための形式や、電子メールの形式など、多種の形式で生成してもよい。施設ごと、サービスごとに生成された広告情報は、記憶部１８にプールされ、配信対象の携帯端末２０と配信する広告情報が決定されると記憶部１８から読み出され、配信される。
【００４９】
以下、ユーザが電車を利用している最中に広告情報が配信されるように構成された広告情報の配信処理について図５から図６を参照して説明する。以下では、移動手段の一例として「鉄道」、その中でも「電車」を示し、移動手段提供施設の一例として「駅」を示しているが、移動手段や移動手段提供施設は以下で開示する例に限定されない。
【００５０】
（ＳＴ２０１）
まず、通信部１９が携帯端末２０から利用開始希望情報を受信する。図８は利用開始希望情報の構成を示す図である。利用開始希望情報は、ユーザが電車などの鉄道を利用しようとしたことに応じて携帯端末２０が生成する情報である。図８に示すように、利用開始希望情報は、利用開始希望情報ＩＤ、利用開始時間、利用を開始した駅を特定するための情報（駅名等）を有する。
【００５１】
利用開始希望情報は、例えば、上記改札システム３０における入場記録情報である。ＮＦＣタグ１９ａに書き込まれた電車などの鉄道利用のためのチケットが有する情報を、利用開始希望情報としてもよい。
【００５２】
（ＳＴ２０２）
続いて、ＣＰＵ１１は、記憶部１８や不図示の外部サーバ等から路線情報を取得する。図９は、路線情報の構成を示す図である。路線情報は、路線ごとに、駅を特定するための情報（例えば駅名）と、路線中に存在する分岐点を特定するための情報（例えば駅名）と、列車種別情報を有する。路線情報は、各駅の位置情報（緯度・経度情報）と停車と発車の時間を示す情報（発着予定時刻等）も有する。図９に示すように、１の路線情報は複数の駅（駅１，駅２，・・・，駅ｎ）の情報を有する。１の路線に係る路線情報が有する分岐点の数は０でも１でも複数でもよい。列車種別情報は、当該路線における停車駅の多少に応じた列車の種別を示す情報であり、例えば「各駅停車」や「急行」といった情報である。
【００５３】
（ＳＴ２０３）
続いて、ＣＰＵ１１は、携帯端末２０から位置情報（緯度・経度情報）を受信する。携帯端末２０はＧＰＳ１９ｂを用いて位置情報を随時取得しており、当該位置情報をサーバ１０に継続的に送信する。
【００５４】
（ＳＴ２０４）
続いて、ＣＰＵ１１は、ＳＴ２０１で受信した利用開始希望情報とＳＴ２０２で受信した路線情報及びＳＴ２０３で受信した位置情報に基づいて移動ルートを判別する。入場駅は、利用開始希望情報により特定される。あるいは、利用開始希望情報受信直後の携帯端末２０の位置情報を用いても特定され得る。ＣＰＵ１１はこのようにユーザが利用を開始した駅を特定し、特定した駅を有する路線情報を選択し、選択した路線情報のうち、その後に変化する携帯端末２０の位置情報と、選択した路線情報が有する各駅の位置情報とを比較して両位置情報が合致する場合に、当該路線情報に対応する路線をユーザの移動ルートとして判別する。各駅の位置情報に代えて、路線上の駅以外の地点の位置情報が用いられてもよい。
【００５５】
（ＳＴ２０５）
ＣＰＵ１１は、移動ルートの判別に成功するまで携帯端末２０から位置情報を繰り返し受信する。
【００５６】
（ＳＴ２０６）
移動ルートの判別に成功すると、ＣＰＵ１１は、判別した移動ルートに対応する路線情報に基づいて、当該移動ルートの先にある分岐点を抽出する。図９に示したように、分岐点は、各路線情報が有する。
【００５７】
（ＳＴ２０７）
続いてＣＰＵ１１は、携帯端末２０の位置情報が、上記移動ルートの先にある分岐点を過ぎた位置に到達したか否かを判断する。ＣＰＵ１１は、携帯端末２０の位置情報が上記分岐点を過ぎた位置に到達する（通過する）まで、広告情報を配信せず待機し、分岐点を過ぎた後の携帯端末２０の移動ルートが確定したあと、当該確定した移動ルートの駅の近傍エリアを広告エリアとする。なお、路線によっては分岐点がない路線もある。本実施形態では分岐点がない場合、ＣＰＵ１１は、携帯端末２０の位置情報が無条件に分岐点を通過したとみなす。
【００５８】
（ＳＴ２０８）
続いて、ＣＰＵ１１は、判別した移動ルートの路線情報と、ユーザに紐付いている電車などの鉄道のチケット情報とに基づいて、当該移動ルートの先にある広告エリアを抽出する。図９に示すように、各路線情報は各駅の位置情報及び列車種別情報を有している。ＣＰＵ１１は携帯端末２０から受信する位置情報に基づく携帯端末２０の現在位置情報の変化（駅の位置情報に対応する位置に所定時間以上停止しているか否か）と、上記列車種別情報に基づいて、列車種別（急行、各駅停車等）を判別した上で、携帯端末２０が現在時刻以後に停車する予定の駅を抽出する。さらにＣＰＵ１１は、抽出した停車予定の駅の中から、チケット情報が有する退場駅以前の駅を抽出し、当該駅を最寄りとするエリアをエリア情報に基づいて特定し、特定したエリアを広告エリアとする。
【００５９】
例えば、ＣＰＵ１１が利用開始希望情報と位置情報と路線情報に基づいて、次のように推定するとする（図９参照）。
携帯端末２０とそのユーザは、
・路線ＩＤが００１の路線を利用している。
・駅１で利用を開始した。
・駅２を通過した。
この場合、ＣＰＵ１１は、駅３から退場駅までの各駅を最寄りとするエリアを広告エリアとする。
【００６０】
図１０は、エリア情報の構成を示す図である。エリア情報は、エリアごとに、エリア名、最寄りの駅、エリア内の施設を特定するための情報（例えば、飲食店の店名やスポーツ施設の施設名等）を有する。本実施形態における「エリア」は例えば電車の駅の商圏である。図１０に示すように、エリアに紐付く施設はその商圏に属する少なくとも１つの店舗である。１のエリア情報には少なくとも１つの駅が紐付いているので、ＣＰＵ１１は、ＳＴ２０７で駅を抽出するとそれに基づいてエリアを広告エリアとして抽出することができる。
【００６１】
また、本実施形態では、電車などの鉄道を利用するためのチケットとして取り扱われる情報が、携帯端末２０のＮＦＣタグ１９ａに書き込まれている。また、当該チケットは通用区間（定期乗車券区間）の情報を有する。ＣＰＵ１１はこの通用区間の情報も利用して、通用区間の終端に該当する駅に対応するエリアを広告エリアとして抽出してもよい。
【００６２】
（ＳＴ２０９）
続いて、ＣＰＵ１１は、携帯端末２０から継続的に受信した携帯端末２０の位置情報に基づいて、携帯端末２０が所定の時間以上、ＳＴ２０７で抽出した広告エリアでないエリアに滞在しているか否かを、判断する。所定の時間とは、ユーザが移動ルート上のいずれかの駅で電車などの鉄道を降りたと判定するのに十分な時間であり、例えば５分、１０分等である。
【００６３】
（ＳＴ２１０）
ＳＴ２０９において携帯端末２０が所定の時間以上、抽出した広告エリアでないエリアに滞在していると判断される場合、ＣＰＵ１１は、広告情報の配信処理を中止する。
【００６４】
（ＳＴ２１１）
続いて、ＣＰＵ１１は、ＳＴ２０８で抽出した特定のエリア内の施設の広告情報を、記憶部１８に記憶されている広告情報の中から抽出する。エリア情報は、各エリア内にある施設に関する情報をリストとして有している。ＣＰＵ１１はエリア情報とサービス情報に基づいて、広告情報を抽出する。このときＣＰＵ１１は、サービス情報が有するサービスを提供可能な日時の情報に基づいて、ユーザが現在時刻において、提供を受けられない、または残りわずかな時間（数分、数十分等）でサービスの提供を受けられなくなるようなサービスに対応する広告情報をあらかじめ抽出対象から除く。
【００６５】
（ＳＴ２１２）
続いて、ＣＰＵ１１は、抽出した広告情報に係るサービスを提供可能な日時の情報に基づいて、携帯端末２０のユーザが施設に到着可能なタイミングＴ１を判定する。具体的にはまず、ＣＰＵ１１は、列車の移動速度と目的地までの距離に基づいて、あるいは、路線情報が有する各駅の発着時刻の情報に基づいて、ユーザの現在位置から施設の最寄りの駅への所要時間を算出する。続いてＣＰＵ１１は、これにサービス情報が有する駅から施設までの所要時間を加算し、ユーザが現在位置から施設までの所要時間を算出する。ＣＰＵ１１は、算出した所要時間とサービス提供日時の情報に基づいて、上記タイミングＴ１を算出する。
【００６６】
（ＳＴ２１３）
続いて、ＣＰＵ１１は、タイミングＴ１以前に、携帯端末２０が所定の地点を通過すると推定されるタイミングＴ２を判定する。所定の地点としては、例えば、ＳＴ２０８で抽出した特定のエリアに対応する駅の前にある特定の駅とすることができる。あるいは、特定の駅を通過してから数キロメートル移動した場所でもよい。
【００６７】
ＣＰＵ１１は、携帯端末２０が上記所定の地点を通過するタイミングＴ２を、列車の平均移動速度や、路線情報が有する各駅の発着時刻の情報に基づいて判定する。
【００６８】
（ＳＴ２１４）
続いて、ＣＰＵ１１は、判定したタイミングＴ２で、ＳＴ２１１で抽出した広告情報を携帯端末２０に送信するように通信部１９を制御する。
【００６９】
以上のサーバ１０の情報処理により、ユーザは携帯端末２０の表示部１６にて、サービス情報が有するサービス内容（図７）が記載された広告情報を目にすることができる。すなわち、上記実施形態によれば、駅周辺の施設の広告情報を電車などの鉄道のユーザに応じて提供することができる。
【００７０】
上記ＳＴ２１０の処理は、上記ＳＴ２１１の後であってＳＴ２１４の前であればいつ実行されてもよい。
【００７１】
ユーザが列車に乗っている（利用している）時間は、ユーザにとって比較的暇な時間であると考えられる。上記サーバ１０は、そのような時間に広告情報をユーザの携帯端末２０に送信するので、広告効果が高い。さらに上記サーバ１０は、適切なタイミングでユーザが降りる駅などのエリア内の施設の広告情報を携帯端末２０にプッシュ送信するため、上記実施形態によれば、潜在的な需要を掘り起こすことができる。
【００７２】
また、上記実施形態によれば、電車などの鉄道用のチケットの情報に基づいて特定のエリアが抽出され、抽出された特定のエリアの広告情報が送信される。そのため、広告情報が選ばれるエリアは、ユーザの移動ルートの範囲にある駅に対応するエリアになり、ユーザが立ち寄りやすいエリアになる。したがって、上記実施形態に係るサーバ１０は、広告が抽出されるエリアとして、ユーザの購買行動に結びつきやすい適切なエリアを抽出することができる。
【００７３】
また、上記実施形態によれば、ユーザが鉄道の利用を終了する駅（退場駅）の候補の前に存在する所定の地点を通過したタイミングで広告情報が送信される。したがって、上記実施形態に係るサーバ１０は、ユーザが駅の利用を終了する駅を通過する前、かつ、鉄道を利用中の比較的暇な時間という適切なタイミングで広告情報を送信することができる。
【００７４】
また、上記実施形態に係るサーバ１０は、施設におけるサービス提供前にユーザが施設に到着できるようなタイミング以前に当該サービスの広告を送信するので、適切なタイミングで広告を送信することができる。
【００７５】
また、上記実施形態に係るサーバ１０は、移動ルートの先にある分岐点を過ぎたタイミングで、当該分岐点の先にある駅のエリア内の施設の広告情報を送信するので、適切な広告を適切なタイミングで送信することができる。
【００７６】
また、上記実施形態に係るサーバ１０は、分岐点を駅の中から抽出するので、分岐点となる駅の抽出精度を高めることができる。
【００７７】
また、上記実施形態に係るサーバ１０は、例えば各駅停車、非各駅停車（急行など、途中駅をスキップするもの）などの列車の種別を判別し、判別した移動手段の駅の中の周辺から広告エリアを抽出するので、列車種別に応じた停車駅の近傍という適切なエリアの広告情報を送信することができる。
【００７８】
また、上記実施形態に係るサーバ１０は、１人での来店が多い店舗の広告情報をユーザに送信するので、そのような来店形態を歓迎する店舗の存在をユーザに認知させることができる。
【００７９】
〔変形例〕
上述した実施形態の変形例について、以下に述べる。
【００８０】
〔変形例１〕
上記実施形態では、携帯端末２０が利用開始希望情報をサーバ１０に送信する例が示された。利用開始希望情報の送信方法としてはこれに限定されず、改札システム３０からサーバ１０に送信されるように構成されてもよい。本変形例によれば、サーバ１０は、ユーザの移動ルートと、ユーザが電車の利用を終了する予定の駅を明確に取得することができ、適切な広告エリアと適切なエリアを抽出することができる。
【００８１】
〔変形例２〕
上記実施形態では、広告情報が選ばれる広告エリアを、ＮＦＣタグ１９ａが記憶するチケットを示す情報に基づいて抽出される例が示された（図６のＳＴ２０８）。当該エリアの抽出方法としてはこれに限定されず、ＣＰＵ１１は、駅の利用頻度に基づいて当該エリアを抽出してもよい。
【００８２】
この場合、記憶部１８は、路線情報に含まれる各駅それぞれについて、ユーザの利用頻度を示す情報を有し、ＣＰＵ１１はこの利用頻度の情報を利用し、例えば利用頻度が高い駅が位置するエリアを特定のエリアとして抽出する。利用頻度の情報は、例えば、移動手段の運営元が保有するユーザ毎の各駅の利用履歴情報から算出される。この場合、本変形例は、適切なエリアをユーザのために抽出することができる。
【００８３】
あるいは、ＣＰＵ１１は、訪問頻度が低い駅を特定のエリアとして抽出してもよい。この場合、本変形例は、ユーザにとって普段訪問しないことの多い意外なエリアの広告情報をユーザに送信することができ、ユーザとって未知のサービスとの出会いを提供することができる。
【００８４】
変形例２は変形例１と組み合わせて実施できる。
【００８５】
〔変形例３〕
上記実施形態では、広告情報が選ばれる特定のエリアを、ＮＦＣタグ１９ａが記憶するチケットを示す情報の通用区間の終端に相当する駅に対応するエリアとした（ＳＴ２０８）。当該エリアの抽出方法としては、これに限定されず、ＣＰＵ１１は、通用区間の終端に該当する駅に対応するエリアでないエリアを特定のエリアとして抽出してもよい。
【００８６】
従来、電車などの鉄道を利用する通勤者は、自宅と職場、それぞれの最寄りの駅の間を移動手段によって往復する毎日で、それらの間にある駅にはそれぞれ、独自の商圏が形成されているにもかかわらず、各商圏に属する店舗が供給できる商品やサービスの情報を知らないため、サービス等の提供を受ける機会を失っていた。店舗としては、駅を通過する列車を利用するユーザに潜在的な需要があるにもかかわらず、サービス等の提供の機会を失っていた。
【００８７】
しかしながら、本変形例のように、ＣＰＵ１１が通用区間の終端に該当する駅に対応するエリアでないエリアを特定のエリアとして抽出し、通勤途中にある普段は降りない駅等のエリア内の施設の広告情報がユーザに配信されるようにすると、ユーザは思いがけないサービスや商品に出会う機会が得られるようになる。他方で施設側はサービスや商品の認知度を高めることができる。
【００８８】
変形例３は変形例１と組み合わせて実施する場合、ＣＰＵ１１は、チケットを示す情報を利用開始希望情報と同様に、改札システム３０から取得するように構成して実施することができる。
変形例３は変形例２を組み合わせて実施することができる。
【００８９】
〔変形例４〕
上述の実施形態では、移動手段として電車を、移動手段提供施設として電車の駅を示したが、移動手段は路線バス等であってもよく、移動手段提供施設は路線バスの停留所（バス停）等であってもよい。路線バスのほかに移動手段には、モノレールや船舶等、路線や路線に準じるものがある交通手段も含まれる。
【００９０】
移動手段を上記実施形態と異なるものとする場合、利用開始希望情報（図８）や路線情報（図９）を適宜変更してもよい。例えば、移動手段を路線バスとする場合は、図８中で「利用を開始した駅」としている情報を「利用を開始したバス停」にする。さらに図９中で「駅」としている情報を「バス停」にする。さらに記憶部１８は、各バス停の位置情報を路線情報に記憶する。
【００９１】
ただし、路線バスの場合は、改札システム３０に相当する情報システムが存在しないため、車両から利用開始希望情報を取得することが難しい場合がある。したがって、上述の実施形態を一部変形した本変形例では、サーバ１０が次のような一連の処理を実行することにより、利用開始希望情報を取得する。
【００９２】
移動手段を路線バスとする場合、サーバ１０は携帯端末２０の位置情報を継続的に受信し、携帯端末２０の位置とその変化を追跡する。ＣＰＵ１１は、携帯端末２０の位置の変化に基づいて、任意のバス停付近から携帯端末２０の移動速度に所定の閾値以上の変化（例えば徒歩とみられる速度から車両に乗って移動する際の速度への変化）があったとき、ユーザがバスに乗ったと判断する。続いてＣＰＵ１１は、携帯端末２０の移動速度の変化を検出した時間を示す情報を利用開始時間とする利用開始希望情報を生成する。
【００９３】
なお、路線バスが、携帯端末２０のＮＦＣタグ１９ａにユーザの乗降に関する記録を一時的に記録してチケットに用いる場合、サーバ１０は乗車記録を携帯端末２０から受信し、ＣＰＵ１１は乗車記録に刻印された利用開始時間と利用を開始したバス停に基づいて利用開始希望情報を生成してもよい。
【００９４】
なお、変形例４は変形例１と組み合わせて実施する場合、サーバ１０が上述の利用開始希望情報を生成する必要なく、バスの車両に設置された改札システム３０が利用開始希望情報をサーバ１０に送信するように構成して実施することができる。
【００９５】
このように、上記実施形態は、移動手段が路線バスであっても一部を変形することで実施することができる。変形例４は、変形例１、変形例２、変形例３のいずれとも組み合わせて実施することができる。
【００９６】
〔他の変形例〕
上述の実施形態では、移動手段提供施設周辺の施設として飲食店やスポーツ施設を示したが、当該施設はこれらに限られず、温泉、スパ、仮眠スポット、漫画喫茶、占いの館等のレクリエーション施設、映画館、画廊、博物館、美術館、コンサートホール等の文化施設等、あらゆる施設について本発明は適用可能である。
【００９７】
以上で上記実施形態の変形例の例示を終えるが、本発明は、上記した実施の形態に限定されるものではなく、本発明の要旨を逸脱しない範囲内において、他の様々な形で実施することができる。このため、上記実施形態はあらゆる点で単なる例示にすぎず、限定的に解釈されるものではない。例えば、上述の各処理ステップは処理内容に矛盾を生じない範囲で各処理ステップの一部又は全部を省略したり、任意に順番を変更して又は並列に実行したりすることができる。
【符号の説明】
【００９８】
１…広告情報配信システム
１０…サーバ
１１…ＣＰＵ
１２…ＲＯＭ
１３…ＲＡＭ
１４…バス
１５…入出力インタフェース
１６…表示部
１７…操作受付部
１８…記憶部
１９…通信部
１９ａ…ＮＦＣタグ
１９ｂ…ＧＰＳ
２０…携帯端末
３０…改札システム
４０…施設情報サーバ
【図１】
2020119072.tif 000003
【図２】
2020119072.tif 000004
【図３】
2020119072.tif 000005
【図４】
2020119072.tif 000006
【図５】
2020119072.tif 000007
【図６】
2020119072.tif 000008
【図７】
2020119072.tif 000009
【図８】
2020119072.tif 000010
【図９】
2020119072.tif 000011
【図１０】
2020119072.tif 000012